(57)【要約】【課題】モールド樹脂で一体的に密閉されるモールド電動機において、モールドとブラケットの接合面及び軸近傍への水滴に対する信頼性が問題である。【解決手段】モールド電動機は、固定子鉄心に絶縁体を介して駆動コイルを巻装した固定子と、電子部品を実装したプリント基板と、前記固定子と前記プリント基板を樹脂による一体成形を行うことで形成されたモールド固定子と、前記固定子鉄心に対向して回転可能に保持された回転子と、前記回転子の中心を通る軸と、前記軸を保持する軸受と、前記モールド固定子に圧入され前記軸受を保持するブラケットと、前記モールド固定子及び前記ブラケットに取り付けられた２つの保持用ゴムからなる電動機であって、前記保持用ゴムが前記モールド固定子と前記ブラケットの圧入部及び前記モールド固定子軸近傍部と前記ブラケット軸近傍部を覆ったものであり、保持用ゴムにより水滴からモータ内部への水滴の浸入を防止できる。【選択図】図１
2009033842.tif 000002
【特許請求の範囲】
【請求項１】
固定子鉄心に絶縁体を介して駆動コイルを巻装した固定子と、電子部品を実装したプリント基板と、前記固定子と前記プリント基板を樹脂による一体成形を行うことで形成されたモールド固定子と、前記固定子鉄心に対向して回転可能に保持された回転子と、前記回転子の中心を通る軸と、前記軸を保持する軸受と、前記モールド固定子に圧入され前記軸受を保持するブラケットと、前記モールド固定子及び前記ブラケットに取り付けられた２つの保持用ゴムからなる電動機であって、前記保持用ゴムが前記モールド固定子と前記ブラケットの圧入部及び前記モールド固定子軸近傍部と前記ブラケット軸近傍部を覆ったことを特徴とするモールド電動機。
【請求項２】
前記保持用ゴムの前記モールド固定子との接合面近傍を、凹部構造としたことを特徴とする請求項１記載のモールド電動機。
【請求項３】
前記モールド固定子の前記保持用ゴムとの接合面を凹部とした請求項１記載のモールド電動機。
【請求項４】
前記保持用ゴムの軸近傍部を、軸に向け９０度折り曲げさせたことを特徴とする請求項１記載のモールド電動機。
【請求項５】
前記保持用ゴム近傍の軸を凹構造としたことを特徴とする請求項４記載のモールド電動機。
【請求項６】
固定子鉄心に絶縁体を介して駆動コイルを巻装した固定子と、電子部品を実装したプリント基板と、前記固定子と前記プリント基板を樹脂による一体成形を行うことで形成されたモールド固定子と、前記固定子鉄心に対向して回転可能に保持された回転子と、前記回転子の中心を通る軸と、前記軸を保持する軸受と、前記モールド固定子に圧入され前記軸受を保持するブラケットと、前記モールド固定子及び前記ブラケットに取り付けられた２つの保持用ゴムからなる電動機であって、前記モールド固定子軸近傍部と前記ブラケット軸近傍部を軸方向に延長することで軸近傍を覆ったことを特徴とするモールド電動機。
【発明の詳細な説明】
【技術分野】
【０００１】
本発明は、主に電気機器に搭載される、樹脂で一体的にモールド成形した電動機に関する。
【背景技術】
【０００２】
従来、この種の電動機においては、固定子をモールド成型した電動機が知られている。（例えば特許文献１参照）。
【０００３】
以下、その電動機について図８を参照しながら説明する。
【０００４】
図８に示すように、固定子を一体的にモールドしブラケットを圧入することによって密封する構造としていた。
【０００５】
また、この種の電動機においては、水滴による防水機能を特化させるためモールドの外周側の形状を変更するものも知られている。（例えば特許文献２参照）。
【０００６】
以下、その電動機について図９を参照しながら説明する。
【０００７】
図９に示すように、モールド固定子の外側に壁を持たせることで水滴が直接電動機にかかることを防止し、防水に対する信頼性を向上させている。
【特許文献１】特開２００４−９６９０５号公報
【特許文献２】特開２００６−２１１７３５号公報
【発明の開示】
【発明が解決しようとする課題】
【０００８】
しかしながらこのような従来のモールド電動機によれば、モールド固定子とブラケットの圧入部は外部に露出しているため、飛散した水滴が圧入部の隙間から浸入するおそれがある。また、モールド固定子及びブラケットの軸受近傍については浸入経路が複雑で無い事と、軸とモールド固定子もしくは軸とブラケットの間の空隙が大きいことから水滴が容易に浸入してしまう。また、モールド固定子の外周部に大きな庇を形成することによりモータのサイズが大きくなってしまう。
【０００９】
本発明は、このような従来の課題を解決するものであり、外形を大きく変更することなく防水に対する信頼性を向上するものである。
【課題を解決するための手段】
【００１０】
本発明の電動機は上記目的を達成するために、モータを保持する防振ゴムに防水の信頼性を向上するような機能を持たせたものである。
【００１１】
この手段によりモールドの外形を大きくすることなく、かつ特別な部材を追加することなく防水機能を高められる電動機が得られる。
【００１２】
本発明の電動機は上記目的を達成するために、固定子鉄心に絶縁体を介して駆動コイルを巻装した固定子と、電子部品を実装したプリント基板と、前記固定子と前記プリント基板を樹脂による一体成形を行うことで形成されたモールド固定子と、前記固定子鉄心に対向して回転可能に保持された回転子と、前記回転子の中心を通る軸と、前記軸を保持する軸受と、前記モールド固定子に圧入され前記軸受を保持するブラケットと、前記モールド固定子及び前記ブラケットに取り付けられた２つの保持用ゴムからなる電動機であって、前記保持用ゴムが前記モールド固定子と前記ブラケットの圧入部及び前記モールド固定子軸近傍部と前記ブラケット軸近傍部を覆ったことを特徴とするものである。
【００１３】
上記構成により、前記保持用ゴムによりモータ内部への水滴の浸入を防止できるという作用を有する。
【００１４】
また、他の手段は、前記保持用ゴムの前記モールド固定子との接合面近傍を、凹部構造としたことを特徴とするものである。この構成により、前記モールドもしくは前記ブラケットを伝わった水滴が軸近傍へ伝わることなく落下するという作用を有する。
【００１５】
また、他の手段は、前記モールド固定子の前記保持用ゴムとの接合面を凹部としたものである。この構成により、接合面の接触面積が増加され水滴の浸入を防止できるという作用を有する。
【００１６】
また、他の手段は、前記保持用ゴムの軸近傍部を、軸に向け９０度折り曲げさせたことを特徴とするものである。この構成により、前記軸からの水滴の浸入経路を複雑にし、水滴の浸入を防止できるという作用を有する。
【００１７】
また、他の手段は、前記保持用ゴム近傍の軸を凹構造としたことを特徴とするものである。この構成により、前記軸からの水滴の進入経路を複雑にし、水滴の浸入を防止できるという作用を有する。
【００１８】
また、他の手段は、固定子鉄心に絶縁体を介して駆動コイルを巻装した固定子と、電子部品を実装したプリント基板と、前記固定子と前記プリント基板を樹脂による一体成形を行うことで形成されたモールド固定子と、前記固定子鉄心に対向して回転可能に保持された回転子と、前記回転子の中心を通る軸と、前記軸を保持する軸受と、前記モールド固定子に圧入され前記軸受を保持するブラケットと、前記モールド固定子及び前記ブラケットに取り付けられた２つの保持用ゴムからなる電動機であって、前記モールド固定子軸近傍部と前記ブラケット軸近傍部を軸方向に延長することで軸近傍を覆ったことを特徴とするものである。この構成により、水滴からモータ内部への水滴の浸入を防止できるという作用を有する。
【発明の効果】
【００１９】
本発明によれば防水に対する信頼性の高い、また外形が大きくならない電動機を提供できる。
【発明を実施するための最良の形態】
【００２０】
本発明の請求項１記載の発明は、固定子鉄心に絶縁体を介して駆動コイルを巻装した固定子と、電子部品を実装したプリント基板と、前記固定子と前記プリント基板を樹脂による一体成形を行うことで形成されたモールド固定子と、前記固定子鉄心に対向して回転可能に保持された回転子と、前記回転子の中心を通る軸と、前記軸を保持する軸受と、前記モールド固定子に圧入され前記軸受を保持するブラケットと、前記モールド固定子及び前記ブラケットに取り付けられた２つの保持用ゴムからなる電動機であって、前記保持用ゴムが前記モールド固定子と前記ブラケットの圧入部及び前記モールド固定子軸近傍部と前記ブラケット軸近傍部を覆ったものであり、前記保持用ゴムによりモータ内部への水滴の浸入を防止できるという作用を有する。
【００２１】
また、前記保持用ゴムの前記モールド固定子との接合面近傍を凹部構造としたものであり、前記モールドもしくは前記ブラケットを伝わった水滴が軸近傍へ伝わることなく落下するという作用を有する。
【００２２】
また、前記モールド固定子の前記保持用ゴムとの接合面を凹部としたものであり、接合面の接触面積が増加され水滴の浸入を防止できるという作用を有する。
【００２３】
また、前記保持用ゴムの軸近傍部を、軸方向に対し９０度折り曲げたものであり、前記軸からの水滴の浸入経路を複雑にし、水滴の浸入を防止できるという作用を有する。
【００２４】
また、前記保持用ゴム近傍の前記軸を凹構造としたことを特徴とするものであり、前記軸からの水滴の進入経路を複雑にし、水滴の浸入を防止できるという作用を有する。
【００２５】
また、固定子鉄心に絶縁体を介して駆動コイルを巻装した固定子と、電子部品を実装したプリント基板と、前記固定子と前記プリント基板を樹脂による一体成形を行うことで形成されたモールド固定子と、前記固定子鉄心に対向して回転可能に保持された回転子と、前記回転子の中心を通る軸と、前記軸を保持する軸受と、前記モールド固定子に圧入され前記軸受を保持するブラケットと、前記モールド固定子及び前記ブラケットに取り付けられた２つの保持用ゴムからなる電動機であって、前記モールド固定子軸近傍部と前記ブラケット軸近傍部を軸方向に延長することで軸近傍を覆ったものであり、水滴からモータ内部への水滴の浸入を防止できるという作用を有する。
【００２６】
（実施の形態１）
図１〜図４に示すように、本発明の第１の実施の形態のモールド電動機の固定子鉄心１に絶縁材にて形成されたインシュレータ２を介して駆動コイル３を巻装している。４は電子部品を実装したプリント基板である。これらは樹脂５にて一体的にモールド成型されモールド固定子６を形成している。
【００２７】
７は磁石回転子で、固定子鉄心１内周側に回転自在に配置されている。磁石回転子７の中心には軸８が通っており２つの軸受け９ａ、９ｂにより保持されている。軸受けの外周はモールド固定子に圧入されたブラケット１０及びモールド固定子６により保持されている。
【００２８】
このような本発明のモールド電動機によれば、ブラケット１０及びモールド固定子６の圧入部を保持用ゴムで覆うことになり圧入部が外部に露出されず、かつブラケット１０軸近傍部及びモールド固定子６軸近傍部を覆うことにより水滴は保持用ゴム１１ａ、１１ｂに遮蔽され下方に落下することになる。これにより圧入部及び軸近傍部に水滴が浸入することの無いモールド電動機を実現できる。
【００２９】
また、保持用ゴム１１ａ、１１ｂのモールド固定子６との接合面近傍を凹構造とし、モールド固定子６には保持用ゴム１１ａ、１１ｂの凹構造と嵌合する凸部を設けることにより、モールド固定子６表面を伝わり落下する水滴が保持用ゴム１１ａ、１１ｂの表面を伝わり軸近傍へ向かうことなく下方へ落下する。これによりモールド固定子６表面の水滴が軸近傍部に伝わることの無いモールド電動機を実現できる。
【００３０】
また、図２に示すように、モールド固定子６の保持用ゴム１１ａ、１１ｂとの接合面近傍を凹構造とし、保持用ゴム１１ａ、１１ｂにはモールド固定子６の凹構造と嵌合する凸部を設けることにより、モールド固定子６と保持用ゴム１１ａ、１１ｂの接合部の接触面積が増加される。これにより接合部における水滴の浸入に対する信頼性が高いモールド電動機を実現できる。
【００３１】
また、保持用ゴム１１ａ、１１ｂに凸部と凹部を設け、モールド固定子６には保持用ゴム１１ａ、１１ｂの凸部、凹部のそれぞれと嵌合する凹部と凸部を設けてもよい。
【００３２】
また、図３に示すように、保持用ゴム１１ａ、１１ｂの軸近傍部を、軸に向け９０度折り曲げた構造とすることにより、保持用ゴム１１ａ、１１ｂと軸８の間の空隙が狭くなり軸近傍部に飛散する水滴の浸入に対する信頼性が高いモールド電動機を実現できる。
【００３３】
また、図４に示すように、保持用ゴム１１ａ、１１ｂ近傍の軸８を凹構造とすることにより、保持用ゴム１１ａ、１１ｂと軸８の間の空隙が複雑な経路となる。これにより軸近傍部に飛散する水滴の浸入に対する信頼性が高いモールド電動機を実現できる。
【００３４】
なお、実施の形態１では保持用ゴムとしたが、弾性材料や樹脂としても良く、その作用効果に差異を生じない。
【００３５】
また、実施の形態１では回転子に磁石を配した構成としたが、永久磁石を使用しない誘導電動機や、リラクタンスモータとしても良く、その作用効果に差異を生じない。
【００３６】
また、実施の形態１ではプリント基板を含む構成としたが、プリント基板のない構成としても良く、その作用効果に差異を生じない。
【００３７】
（実施の形態２）
図５〜図７に示すように、本発明の第２の実施の形態のモールド電動機は、固定子鉄心１に絶縁材にて形成されたインシュレータ２を介して駆動コイル３を巻装している。４は電子部品を実装したプリント基板である。これらは樹脂５にて一体的にモールド成型されモールド固定子６を形成している。
【００３８】
７は磁石回転子で、固定子鉄心１内周側に回転自在に配置されている。磁石回転子７の中心には軸８が通っており２つの軸受け９ａ、９ｂにより保持されている。軸受けの外周はモールド固定子に圧入されたブラケット１０及びモールド固定子６により保持されている。１１ａ及び１１ｂは保持用ゴムで、ブラケット１０及びモールド固定子６に取り付けられている。前記ブラケット１０軸近傍及びモールド固定子６軸近傍は、軸８を保護するように軸方向に延長された環状の凸部形状となっている。
【００３９】
このような本発明のモールド電動機によれば、電動機周辺から飛散した水滴はブラケット１０及びモールド固定子６の環状の凸部形状に遮蔽され下方に落下することになる。これにより電動機のサイズを大きくすること無く軸近傍部に水滴がかかることがないモールド電動機を実現できる。
【００４０】
なお、実施の形態２では回転子に磁石を配した構成としたが、永久磁石を使用しない誘導電動機や、リラクタンスモータとしても良く、その作用効果に差異を生じない。
【００４１】
また、実施の形態２ではプリント基板を含む構成としたが、プリント基板のない構成としても良く、その作用効果に差異を生じない。
【産業上の利用可能性】
【００４２】
以上のように、本発明にかかるモールド電動機は、防水に対する信頼性の高い電動機が得られることから、浴室用換気装置や冷凍・冷蔵機器、屋外設置の風量機器やファンモータへの搭載が有用である。
【図面の簡単な説明】
【００４３】
【図１】本発明の実施例１のモールド電動機の断面図
【図２】同ブラケットとモールド固定子の圧入部の断面図
【図３】同ブラケット軸受近傍の断面図
【図４】同モールド固定子軸受近傍の断面図
【図５】本発明の実施例２のモールド電動機の断面図
【図６】同ブラケット軸受近傍の断面図
【図７】同モールド固定子軸受近傍の断面図
【図８】従来のモールド電動機１の断面図
【図９】従来のモールド電動機２の断面図
【符号の説明】
【００４４】
１    固定子鉄心
２    インシュレータ
３    駆動コイル
４    プリント基板
５    樹脂
６    モールド固定子
７    磁石回転子
８    軸
９ａ、９ｂ  軸受け
１０  ブラケット
１１ａ、１１ｂ  保持用ゴム
１２  モールド固定子とブラケットの圧入部
１３  ブラケット軸近傍部
１４  モールド固定子軸近傍部
【図１】
2009033842.tif 000003
【図２】
2009033842.tif 000004
【図３】
2009033842.tif 000005
【図４】
2009033842.tif 000006
【図５】
2009033842.tif 000007
【図６】
2009033842.tif 000008
【図７】
2009033842.tif 000009
【図８】
2009033842.tif 000010
【図９】
2009033842.tif 000011